(57)【要約】      （修正有）【課題】眼鏡レンズにカップを適切に取り付けることができるカップ取付装置を提供する。【解決手段】眼鏡レンズに加工治具であるカップを取り付けるカップ取付装置１において、眼鏡レンズの前面とカップの取付面とを平行に保つことで、カップを取り付ける基準面を眼鏡レンズの前面とし、眼鏡レンズを支持する第１レンズ支持手段１５ａと、眼鏡レンズの後面とカップの取付面とを平行に保つことで、カップを取り付ける基準面を眼鏡レンズの後面とし、眼鏡レンズを支持する第２レンズ支持手段１５ｂと、カップ取付装置１において、第１レンズ支持手段１５ａと第２レンズ支持手段１５ｂとを切り換える切換手段と、眼鏡レンズにカップを取り付けるカップ取付手段と、を備える。【選択図】図１
2020038268.tif 000002
【特許請求の範囲】
【請求項１】
眼鏡レンズに加工治具であるカップを取り付けるカップ取付装置において、
前記眼鏡レンズの前面と、前記カップの取付面と、を平行に保つことで、前記カップを取り付ける基準面を前記眼鏡レンズの前面とし、前記眼鏡レンズを支持する第１レンズ支持手段と、
前記眼鏡レンズの後面と、前記カップの取付面と、を平行に保つことで、前記カップを取り付ける基準面を前記眼鏡レンズの後面とし、前記眼鏡レンズを支持する第２レンズ支持手段と、
前記カップ取付装置において、前記第１レンズ支持手段と前記第２レンズ支持手段とを切り換える切換手段と、
前記眼鏡レンズに前記カップを取り付けるカップ取付手段と、
を備えることを特徴とするカップ取付装置。
【請求項２】
請求項１のカップ取付装置において、
前記切換手段は、前記第１レンズ支持手段及び前記第２レンズ支持手段をカップ取付装置に装着可能とする第１着脱手段を有し、前記第１着脱手段を用いて前記第１レンズ支持手段または前記第２レンズ支持手段のいずれか一方を取り付けることによって、前記第１レンズ支持手段と前記第２レンズ支持手段とを切り換えることを特徴とするカップ取付装置。
【請求項３】
請求項１または２のカップ取付装置において、
前記第１レンズ支持手段は、前記カップの取付面に対して回転自在な第１支持ピンを有し、
前記第１支持ピンに載置された前記眼鏡レンズの前面と、前記カップの取付面とを平行に保つことで、前記眼鏡レンズの前面を前記基準面とすることを特徴とするカップ取付装置。
【請求項４】
請求項３のカップ取付装置において、
前記第１レンズ支持手段は、さらに、前記眼鏡レンズの前面を押さえるレンズ押さえ手段を有し、
前記第１支持ピンに載置されるとともに前記レンズ押さえ手段に押さえられた前記眼鏡レンズの前面と、前記レンズ押さえ手段と、の当接面を平行に保つことで、前記眼鏡レンズの前面と前記カップの取付面とを平行に保ち、前記眼鏡レンズの前面を前記基準面とすることを特徴とするカップ取付装置。
【請求項５】
請求項４のカップ取付装置において、
前記第１レンズ支持手段が備える前記レンズ押さえ手段は着脱可能であって、
前記切換手段は、前記レンズ押さえ手段を着脱する第２着脱手段を有し、前記第２着脱手段を用いて前記レンズ押さえ手段を取り付けることによって、前記第１レンズ支持手段と前記第２レンズ支持手段とを切り換えることを特徴とするカップ取付装置。
【請求項６】
請求項４または５のカップ取付装置において、
前記第１レンズ支持手段が備える前記レンズ押さえ手段は、前記眼鏡レンズを押さえる使用位置と、前記使用位置から退避させた退避位置と、に切り換え可能であって、
前記第１レンズ支持手段を用いる際には、前記レンズ押さえ手段を前記使用位置に切り換えて使用し、
前記第２レンズ支持手段を用いる際には、前記レンズ押さえ手段を前記退避位置に切り換えて使用することを特徴とするカップ取付装置。
【請求項７】
請求項１〜６のいずれかのカップ取付装置において、
前記第２レンズ支持手段は、前記眼鏡レンズを載置する固定配置された第２支持ピンを有し、
前記第２支持ピンと、前記第２支持ピンに載置された前記眼鏡レンズの後面と、の当接面を平行に保つことで、前記眼鏡レンズの後面と前記カップの取付面とを平行に保ち、前記眼鏡レンズの後面を前記基準面とすることを特徴とするカップ取付装置。
【請求項８】
請求項１のカップ取付装置において、
前記切換手段は、前記第１レンズ支持手段と前記第２レンズ支持手段とを移動させる駆動部を有し、前記駆動部を駆動させることによって、前記第１レンズ支持手段と前記第２レンズ支持手段とを切り換えることを特徴とするカップ取付装置。
【発明の詳細な説明】
【技術分野】
【０００１】
本開示は、眼鏡レンズにカップを取り付けるカップ取付装置に関する。
【背景技術】
【０００２】
眼鏡レンズの周縁を加工する際に用いる加工治具であるカップを、未加工の眼鏡レンズに対して取り付けるカップ取付装置が知られている。例えば、特許文献１では、眼鏡レンズを支持ピンで支持し、眼鏡レンズの適切な位置にカップを取り付けている。
【先行技術文献】
【特許文献】
【０００３】
【特許文献１】特開２０１３−２１２５７３号公報
【発明の概要】
【発明が解決しようとする課題】
【０００４】
上記のカップ取付装置において、眼鏡レンズの前面と後面の曲率の差が大きな眼鏡レンズを支持ピンに載置するとき、眼鏡レンズの中心位置をずらして偏心させた状態で支持ピンに載置するとき、等には、眼鏡レンズの支持が不安定になり、精度よくカップを取り付けられない場合があった。これに対して、支持ピンを自在に回転させることで眼鏡レンズの支持を安定にし、カップを取り付けることも考えられるが、眼鏡レンズを支持ピンに容易に載置できなくなり、また、カップ取付装置が複雑な構成になる。
【０００５】
本開示は、上記従来技術に鑑み、眼鏡レンズにカップを適切に取り付けることができるカップ取付装置を提供することを技術課題とする。
【課題を解決するための手段】
【０００６】
上記課題を解決するために、本開示は、以下のような構成を備えることを特徴とする。
【０００７】
（１）  本開示の第１態様に係るカップ取付装置は、眼鏡レンズに加工治具であるカップを取り付けるカップ取付装置において、前記眼鏡レンズの前面と、前記カップの取付面と、を平行に保つことで、前記カップを取り付ける基準面を前記眼鏡レンズの前面とし、前記眼鏡レンズを支持する第１レンズ支持手段と、前記眼鏡レンズの後面と、前記カップの取付面と、を平行に保つことで、前記カップを取り付ける基準面を前記眼鏡レンズの後面とし、前記眼鏡レンズを支持する第２レンズ支持手段と、前記カップ取付装置において、前記第１レンズ支持手段と前記第２レンズ支持手段とを切り換える切換手段と、前記眼鏡レンズに前記カップを取り付けるカップ取付手段と、を備えることを特徴とする。
【図面の簡単な説明】
【０００８】
【図１】カップ取付装置の外観図である。
【図２】レンズ支持部を示す図である。
【図３】レンズ押さえ機構を示す図である。
【図４】レンズ測定機構を示す図である。
【図５】カップ取付機構を示す図である。
【図６】曲率の差が大きなハイカーブレンズを各レンズ支持部に載置した状態を示す図である。
【図７】曲率の差が小さなレンズを各レンズ支持部に載置した状態を示す図である。
【図８】カップ取付装置の制御系を示す図である。
【図９】軸打ち画面の一例である。
【図１０】レンズ押さえ機構が取り外された状態を示す図である。
【発明を実施するための形態】
【０００９】
＜概要＞
本開示の実施形態に係るカップ取付装置の概要について説明する。なお、以下の＜＞にて分類された項目は、独立または関連して利用されうる。
【００１０】
＜レンズ支持手段＞
例えば、本実施例におけるカップ取付装置（例えば、カップ取付装置１）は、レンズ支持手段（例えば、レンズ支持機構１０）を備える。レンズ支持手段は、眼鏡レンズを載置して眼鏡レンズを支持する。レンズ支持手段は、第１レンズ支持手段（例えば、第１レンズ支持部１５ａ）と、第２レンズ支持部１５ｂと、を有していてもよい。本実施例では、第１レンズ支持手段によって眼鏡レンズの前面が基準面とされ、第２レンズ支持手段によって眼鏡レンズの後面が基準面とされる。基準面は、眼鏡レンズにカップを取り付ける際の基準となる面であり、カップの取付面と平行な面であってもよい。なお、この場合の平行とは、眼鏡レンズにカップを取り付ける際の基準軸（カップの取付面に直交する軸）と、眼鏡レンズのレンズ面（前面または後面）の交点における法線と、が一致する状態であってもよい。また、基準面は、眼鏡レンズの前面及び後面の形状（例えば、カーブ値、等）に応じて、前面または後面のいずれかに設けられてもよい。
【００１１】
＜第１レンズ支持手段＞
第１レンズ支持手段は、眼鏡レンズの前面（表面）とカップの取付面とを平行に保つことで、カップを取り付ける基準面を眼鏡レンズの前面とし、眼鏡レンズを支持してもよい。例えば、第１レンズ支持手段は、第１支持ピン（例えば、支持ピン２１）を有していてもよい。第１支持ピンは、複数のピン（例えば、３本のピン、等）で構成されてもよい。第１支持ピンは、第１支持ピンと、第１支持ピンに載置される眼鏡レンズの後面と、の当接面を、カップの取付面に対して傾斜させるための支持ピンであってもよい。この場合、第１支持ピンと眼鏡レンズの後面との当接面は、カップの取付面に対していずれの経線方向（すなわち、０度〜３６０度）に傾斜されてもよい。
【００１２】
例えば、本実施例において、第１レンズ支持手段は、カップの取付面に対して回転自在な第１支持ピンを有してもよい。第１支持ピンが回転自在であることによって、カップの取付面に対して任意の経線方向に傾斜され、その傾斜角度に応じて、カップ取付装置の接地面から各ピンまでの高さが変化する。
【００１３】
例えば、第１レンズ支持手段は、このような回転自在な第１支持ピンを有し、第１支持ピンに載置された眼鏡レンズの前面と、カップの取付面とを平行に保つことで、眼鏡レンズの前面を基準面としてもよい。第１支持ピンが回転自在であることによって、眼鏡レンズの前面と後面の曲率の差が大きな眼鏡レンズ（例えば、ハイカーブレンズ、等）に対しても、その前面に基準面を設けることができるようになる。
【００１４】
例えば、第１レンズ支持手段は、さらに、レンズ押さえ手段（例えば、レンズ押さえ機構４０）を有していてもよい。レンズ押さえ手段は、眼鏡レンズの前面を押さえる。例えば、本実施例では、第１レンズ支持手段が備える第１支持ピンに対して、レンズ押さえ手段が垂直方向に移動することによって、第１支持ピンに載置された眼鏡レンズの前面をレンズ押さえ手段が垂直方向から押さえる。つまり、レンズ押さえ手段を用いて眼鏡レンズの前面が押さえられつつ、第１支持ピンを用いて眼鏡レンズの後面が押さえられる。これによって、第１支持ピンに載置されるとともにレンズ押さえ手段に押さえられた眼鏡レンズの前面と、レンズ押さえ手段と、の当接面は平行に保たれる。例えば、第１レンズ支持手段は、このように第１支持ピンに載置されるとともにレンズ押さえ手段に押さえられた眼鏡レンズの前面と、レンズ押さえ手段と、の当接面を平行に保つことで、眼鏡レンズの前面とカップの取付面とを平行に保ち、眼鏡レンズの前面を基準面としてもよい。第１レンズ支持手段がレンズ押さえ手段を備えることによって、眼鏡レンズの前面と後面の曲率の差が大きな眼鏡レンズ（例えば、ハイカーブレンズ、等）を挟持し、より安定に支持することができる。
【００１５】
なお、本実施例において、第１レンズ支持手段が備えるレンズ押さえ手段は、カップ取付装置から着脱可能であってもよい。この場合、レンズ押さえ手段を全体的にカップ取付装置から着脱可能とする構成であってもよい。また、この場合、レンズ押さえ手段を部分的にカップ取付装置から着脱可能とする構成であってもよい。一例としては、レンズ押さえ手段が備えるアームのみがカップ取付装置から着脱可能とされてもよい。
【００１６】
また、本実施例において、第１レンズ支持手段が備えるレンズ押さえ手段は、眼鏡レンズを押さえる使用位置と、使用位置から退避させた退避位置と、に切り換え可能であってもよい。例えば、本実施例において、レンズ押さえ手段の使用位置は、レンズ押さえ手段が第１支持ピン上に配置される位置であってもよい。より詳細には、例えば、レンズ押さえ手段が備える押さえピン（例えば、レンズ押さえピン４４）の水平方向における位置が、第１支持ピンの水平方向における位置と一致する位置であってもよい。レンズ支持手段として第１レンズ支持手段を用いる際には、レンズ押さえ手段を使用位置に切り換えて使用してもよい。レンズ支持手段として第２レンズ支持手段を用いる際には、レンズ押さえ手段を退避位置に切り換えて使用してもよい。眼鏡レンズの種類に応じて第１レンズ支持手段または第２レンズ支持手段のいずれかに変更した際には、レンズ押さえ手段の使用と不使用を容易に切り換えることができ、操作性が向上される。
【００１７】
なお、第１レンズ支持手段は、眼鏡レンズの前面を基準面とすることが可能な構成を備えていればよく、カップの取付面に対して回転自在な第１支持ピンを有する構成に限定されない。例えば、各ピンの高さをそれぞれ調節することが可能な第１支持ピンを有することで、眼鏡レンズの前面とカップの取付面とを平行に保つようにしてもよい。この場合、第１レンズ支持手段は、さらにレンズ押さえ手段を有し、ピンに載置された眼鏡レンズとレンズ押さえ手段との当接面を平行に保つようにしてもよい。これによっても、眼鏡レンズの前面を基準面とすることができる。もちろん、第１支持ピンを用いることなく、眼鏡レンズの前面とカップの取付面とを平行に保つようにしてもよい。一例としては、円筒状のレンズ支持部を有し、眼鏡レンズの前面をレンズ支持部に載置することで、眼鏡レンズの前面とカップの取付面とを平行に保ち、眼鏡レンズの前面を基準面としてもよい。なお、この場合には、第１レンズ支持手段が眼鏡レンズの後面を押さえるレンズ押さえ手段を有し、眼鏡レンズを挟持するようにしてもよい。
【００１８】
＜第２レンズ支持手段＞
第２レンズ支持手段は、眼鏡レンズの後面（裏面）とカップの取付面とを平行に保つことで、カップを取り付ける基準面を眼鏡レンズの後面とし、眼鏡レンズを支持してもよい。例えば、第２レンズ支持手段は、第２支持ピン（例えば、支持ピン２６）を有していてもよい。第２支持ピンは、複数のピン（例えば、３本のピン、等）で構成されてもよい。第２支持ピンは、眼鏡レンズを載置する固定配置されたピンであってもよい。例えば、本実施例における第２支持ピンは、各ピンが同一の高さに固定配置されたピンであってもよい。
【００１９】
例えば、第２レンズ支持手段は、このような固定配置された第２支持ピンを有し、第２支持ピンと、第２支持ピンに載置された眼鏡レンズの後面と、の当接面を平行に保つことで、眼鏡レンズの後面とカップの取付面とを平行に保ち、眼鏡レンズの後面を基準面としてもよい。第２支持ピンが固定配置されていることで、レンズ押さえ手段等を用いることなく眼鏡レンズの後面に基準面を設けることができ、操作が容易である。
【００２０】
なお、本実施例において、第２レンズ支持手段は、さらに、レンズ押さえ手段を有していてもよい。この場合には、眼鏡レンズを第２支持ピンとレンズ押さえ手段とにより挟持し、眼鏡レンズをより安定に支持することができる。
【００２１】
なお、第２レンズ支持手段は、眼鏡レンズの後面を基準面とすることが可能な構成を備えていればよく、本実施例に限定されない。例えば、各ピン間の距離や間隔を調整できる高さが同一な可動ピンを有し、眼鏡レンズを支持する領域の大きさを変更できるようにしてもよい。また、例えば、第２支持ピンに加えて、着脱可能なピンを有する構成であってもよい。これらの場合であっても、各ピンと眼鏡レンズの後面との当接面を平行に保つとともに、眼鏡レンズの後面とカップの取付面とを平行に保ち、眼鏡レンズの後面を基準面とすることができる。
【００２２】
＜切換手段＞
例えば、本実施例におけるカップ取付装置は、切換手段を備える。切換手段は、カップ取付装置において、第１レンズ支持手段と第２レンズ支持手段とを切り換える。例えば、切換手段は、第１レンズ支持手段と第２レンズ支持手段とのいずれか一方を、眼鏡レンズにカップを取り付けるための使用位置に配置し、他方を使用位置から退避させた退避位置に配置することで、第１レンズ支持手段と第２レンズ支持手段とを切り換えてもよい。切換手段を備えることで、眼鏡レンズの種類毎に基準面を容易に変更し、適切にカップを取り付けることができる。
【００２３】
本実施例において、切換手段は、第１着脱手段（例えば、挿込ピン１１）を有していてもよい。第１着脱手段は、第１レンズ支持手段及び第２レンズ支持手段をカップ取付装置に装着可能とする。なお、第１着脱手段は、第１レンズ支持手段及び第２レンズ支持手段をカップ取付装置に装着可能な構成であればよく、本実施例に限定されない。例えば、凸部と凹部を嵌合させる構成であってもよい。この場合には、カップ取付装置に第１レンズ支持手段及び第２レンズ支持手段を嵌合させるための嵌合部を設けるとともに、第１レンズ支持手段及び第２レンズ支持手段に嵌合部を嵌め込むための窪みを設けてもよい。また、例えば、磁石等を用いて第１レンズ支持手段及び第２レンズ支持手段を取り付ける構成であってもよい。これらのような場合、切換手段は、第１着脱手段を用いて第１レンズ支持手段または第２レンズ支持手段のいずれか一方を取り付けることによって、第１レンズ支持手段と第２レンズ支持手段とを切り換えるようにしてもよい。眼鏡レンズの種類に応じて適切なレンズ支持手段を取り付け、基準面を容易に変更することができるので、精度よくカップを取り付けることができる。
【００２４】
また、本実施例において、切換手段は、第２着脱手段（例えば、凹部７）を有していてもよい。第２着脱手段は、レンズ押さえ手段をカップ取付装置に装着可能とする。なお、第２着脱手段は、第１レンズ支持手段及び第２レンズ支持手段をカップ取付装置に装着可能な構成であればよく、本実施例に限定されない。例えば、凸部と凹部を嵌合させる構成、磁石等を用いて取り付ける構成、等であってもよい。切換手段は、第２着脱手段を用いてレンズ押さえ手段を取り付けることによって、第１レンズ支持手段と第２レンズ支持手段とを切り換えるようにしてもよい。これによって、眼鏡レンズの種類に合わせてレンズ押さえ手段を着脱し、必要に応じて眼鏡レンズを挟持させ、眼鏡レンズを安定に支持することができる。
【００２５】
なお、本実施例において、切換手段は、駆動部を有していてもよい。駆動部は、第１レンズ支持手段と第２レンズ支持手段とを移動させる。切換手段は、駆動部を駆動させることによって、第１レンズ支持手段と第２レンズ支持手段とを切り換えるようにしてもよい。この場合、駆動部はモータ等を備え、第１レンズ支持手段と第２レンズ支持手段とを自動的に切り換える構成としてもよい。また、この場合、駆動部はレバー等を備え、第１レンズ支持手段と第２レンズ支持手段とを手動的に切り換える構成としてもよい。このような駆動部によって、第１レンズ支持手段と第２レンズ支持手段とのいずれか一方が、眼鏡レンズにカップを取り付けるための使用位置に配置され、他方が使用位置から退避される退避位置に配置されるようにしてもよい。一例としては、駆動部が、第１レンズ支持手段と第２レンズ支持手段とをスライド移動させるスライド機構等を備え、スライド機構を用いて第１レンズ支持手段と第２レンズ支持手段とを移動させることで、その使用位置と退避位置が切り換えられてもよい。例えば、このような切換手段によって、眼鏡レンズの種類に応じて適切なレンズ支持手段に切り換え、基準面を容易に変更し、精度よくカップを取り付けることができる。
【００２６】
また、本実施例において、切換手段は、ロック機構を有していてもよい。ロック機構は、カップの取付面に対する回転（傾斜）を抑制する。切換手段は、ロック機構によるロックとその解除によって、第１レンズ支持手段と第２レンズ支持手段とを切り換えるようにしてもよい。すなわち、切換手段によって、第１レンズ支持手段と第２レンズ支持手段とが兼用されてもよい。一例として、第１レンズ支持手段をロックすることで、第１レンズ支持手段の回転を抑制し、第１レンズ支持手段を第２レンズ支持手段として用いてもよい。例えば、このような切換手段によっても、眼鏡レンズの種類に応じて適切なレンズ支持手段に切り換え、基準面を容易に変更し、精度よくカップを取り付けることができる。
【００２７】
＜カップ取付装置＞
例えば、本実施例におけるカップ取付装置は、カップ取付手段（例えば、カップ取付機構５０）を備える。カップ取付手段は、レンズにカップを取り付ける。カップ取付手段は、レンズの前面と後面の少なくともいずれかにカップを取り付ける構成であってもよい。例えば、カップ取付手段は、第１レンズ支持手段に支持された状態の眼鏡レンズ、または、第２レンズ支持手段に支持された状態の眼鏡レンズ、にカップを取り付ける。
【００２８】
例えば、レンズ支持手段として第１レンズ支持手段を用いる場合、カップ取付手段は、第１レンズ支持手段に支持された眼鏡レンズに対してカップを取り付ける。このとき、カップ取付手段は、第１レンズ支持手段に支持され、操作者に保持された状態のレンズに対して、カップを取り付けてもよい。また、この場合、カップ取付手段は、第１レンズ支持手段に支持され、さらに、レンズ押さえ手段に押さえられた状態の眼鏡レンズに対して、カップを取り付けてもよい。
【００２９】
例えば、レンズ支持手段として第２レンズ支持手段を用いる場合、カップ取付手段は、第２レンズ支持手段に支持されたレンズに対してカップを取り付ける。この場合、カップ取付手段は、第２レンズ支持手段に支持され、操作者に保持された状態のレンズに対して、カップを取り付けてもよい。また、この場合、カップ取付手段は、第２レンズ支持手段に支持され、さらに、レンズ押さえ手段に押さえられた状態の眼鏡レンズに対して、カップを取り付けてもよい。例えば、本実施例では、第１レンズ支持手段または第２レンズ支持手段によって、眼鏡レンズの基準面が平行に維持されるため、このようなカップ取付手段を用いることで、カップを精度よく取り付けることができる。
【００３０】
なお、本実施例において、カップ取付手段は、眼鏡レンズを搬送するための搬送手段（例えば、眼鏡レンズを吸着して搬送するための搬送ユニット、等）を備えていてもよい。例えば、この場合には、レンズ支持手段により支持された眼鏡レンズが搬送手段によってカップ取付手段まで搬送され、カップ取付手段が搬送された眼鏡レンズに対してカップを取り付ける構成としてもよい。
【００３１】
＜実施例＞
以下、本実施形態に係る一実施例を図面に基づいて説明する。図１はカップ取付装置１の外観図である。例えば、カップ取付装置１は、ディスプレイ３、収納部４、筺体５、テーブル８、レンズ支持機構１０、レンズ測定機構３０、レンズ押さえ機構４０、カップ取付機構５０、等を備える。
【００３２】
本実施例において、ディスプレイ３にはタッチパネル機能が付加され、ディスプレイ３が操作部（コントローラ）として機能する。なお、ディスプレイ３と操作部とは別に設ける構成であってもよく、この場合には、マウス、ジョイスティック、キーボード、携帯端末、等の少なくともいずれかを操作部として用いてもよい。また、本実施例において、ディスプレイ３にはＬＣＤ（Liquid Crystal Display）が用いられる。もちろん、ＬＣＤに限定されず、有機ＥＬ（Electro Luminescence）ディスプレイ、プラズマディスプレイ、等を用いる構成であってもよい。
【００３３】
ディスプレイ３には、操作画面（加工条件の入力画面、レイアウトデータの入力画面、軸打ち画面、等）、レンズ測定機構３０により撮像された眼鏡レンズ（以下、レンズ）ＬＥのレンズ像、レンズ情報、等が表示される。レンズ情報は、例えば、レンズＬＥの外形、印点、隠しマーク、プリントマーク、等であってもよい。
【００３４】
収納部４は、テーブル８及び後述するレンズ支持部１５を収納する。収納部４は、テーブル８の厚みやレンズ支持部１５の厚み（本実施例では、プレート１６の厚み）よりも大きな幅を有している。収納部４を用いることで、テーブル８やレンズ支持部１５を立てた状態で収納することができる。本実施例において、収納部４は筐体５の側面に設けられる。この場合、収納部４は、筐体５の右側面及び左側面に設けられてもよいし、いずれかの側面に設けられてもよい。もちろん、筐体５の側面に限らず、上面や背面に設けられてもよい。
【００３５】
筺体５は略コの字状の側面形状である。筺体５の前面には、テーブル８を挿し込むための挿込口９（図３参照）が設けられる。筺体５の内部には、後述するレンズ測定機構３０が備えられる。筺体５は、前側に突出する張出部５ａと台座５ｂとを有する。張出部５ａには、後述するカップ取付機構５０が設けられる。台座５ｂには、後述するレンズ支持機構１０とレンズ押さえ機構４０が設けられる。レンズ押さえ機構４０は、台座５ｂに設けられた凹部７に嵌め込まれている。
【００３６】
テーブル８は、デモレンズまたは型板を撮像する際に用いる。テーブル８は、カップ取付装置１からの着脱が可能である。操作者は、テーブル８を挿込口９に挿し込むことで、テーブル８にデモレンズまたは型板を載置し、デモレンズまたは型板の外形を撮像することができる。また、操作者は、テーブル８を挿込口９から取り外すことで、レンズ支持機構１０を用いて、レンズＬＥに加工治具であるカップＣｕ（図５参照）を取り付ける（軸打ちする）ことができる。
【００３７】
＜レンズ支持機構＞
レンズ支持機構１０はレンズＬＥを載置してレンズＬＥを支持する。例えば、レンズ支持機構１０は、挿込ピン１１、保護カバー１２、レンズ支持部１５、レンズ押さえ機構４０、等を備える。挿込ピン１１は、保護カバー１２から突出するように固定される。レンズ支持部１５は、保護カバー１２上に載置される。
【００３８】
＜レンズ支持部＞
レンズ支持部１５は、カップＣｕを取り付ける基準面をレンズＬＥの前面とする第１レンズ支持部１５ａと、カップＣｕを取り付ける基準面をレンズＬＥの後面する第２レンズ支持部１５ｂと、を有する。なお、基準面については後述する。
【００３９】
図２はレンズ支持部１５を示す図である。図２（ａ）は第１レンズ支持部１５ａを示し、図２（ｂ）は第２レンズ支持部１５ｂを示す。第１レンズ支持部１５ａと第２レンズ支持部１５ｂは、ともにプレート１６を有する。プレート１６には穴１７が設けられている。穴１７は、挿込ピン１１と嵌合するようになっている。穴１７に挿込ピン１１が刺さるようにプレート１６を配置することで、第１レンズ支持部１５ａまたは第２レンズ支持部１５ｂを一定の向きで保護カバー１２上に載置することができる。これによって、本実施例では、第１レンズ支持部１５ａを保護カバー１２上に載置した場合に、第１レンズ支持部１５ａが有する支持ピン２１（後述）の中心点Ｐ１と、カップ取り付けの基準軸となるレンズ測定機構３０の光軸Ｌ２と、が一致する。また、これによって、本実施例では、第２レンズ支持部１５ｂを保護カバー１２上に載置した場合に、第２レンズ支持部１５ｂが有する支持ピン２６（後述）の中心点Ｐ２と、光軸Ｌ２と、が一致する。なお、本実施例では、支持ピン２１及び支持ピン２６の中心点（つまり、中心点Ｐ１及び中心点Ｐ２）が、プレート１６の中央に設けられてもよい。例えば、支持ピン２１及び支持ピン２６の中心点は、各支持ピンを通る外接円の外心であってもよい。
【００４０】
第１レンズ支持部１５ａは、プレート１６の他、支持ピン２１、三角板２２、円筒部材２３、固定部材２４、等を備える。本実施例において、支持ピン２１は３本で構成される。支持ピン２１は、レンズの前面の形状に対する後面の形状の変化が大きなレンズ（例えば、レンズの前面の曲率と後面の曲率との差が大きなハイカーブレンズ、等）を載置する際に用いられてもよい。支持ピン２１は、光軸Ｌ１に対して等距離かつ等角度（すなわち、１２０度）で、三角板２２に固定配置される。支持ピン２１は、レンズＬＥの後面に当接することで、レンズＬＥを支持する。三角板２２は、回転自在なボール２５（図４参照）を介して、円筒部材２３に取り付けられる。三角板２２の上面（つまり、支持ピン２１が固定される面）には、再帰性反射部材が貼り付けられていてもよい。円筒部材２３は、固定部材２４に連結される。固定部材２４は、プレート１６に固定される。これによって、支持ピン２１は回転自在となる。
【００４１】
第２レンズ支持部１５ｂは、プレート１６の他、支持ピン２６、等を備える。本実施例において、支持ピン２６は３本で構成される。支持ピン２１は、レンズの前面の形状に対する後面の形状の変化が小さなレンズ（例えば、レンズの前面の曲率と後面の曲率との差が小さなレンズ、等）を載置する際に用いられてもよい。支持ピン２６は、光軸Ｌ１に対して等距離かつ等角度（すなわち、１２０度）で、プレート１６に固定配置される。支持ピン２６は、レンズＬＥの後面に当接することで、レンズＬＥを支持する。
【００４２】
＜レンズ押さえ機構＞
レンズ押さえ機構４０は、レンズＬＥの前面を押さえる。レンズ押さえ機構４０は、後述する円筒部材４６が、台座５ｂに設けられた凹部７に嵌め込まれることで、カップ取付装置１に取り付けられている。なお、本実施例において、レンズ押さえ機構４０は、カップ取付装置１からの着脱が可能である。また、本実施例において、レンズ押さえ機構４０は、レンズ押さえ機構４０が使用可能な使用位置と、レンズ押さえ機構４０が使用位置から退避された退避位置と、に切り換え可能である。より詳細には、例えば、後述するアーム４２が水平方向に回転されることで、使用位置と退避位置とに切り換え可能である。
【００４３】
図３はレンズ押さえ機構４０を示す図である。図３（ａ）はレンズ押さえ機構４０が使用可能な使用位置にある状態である。図３（ｂ）はレンズ押さえ機構４０が使用位置から退避位置に移動された状態である。例えば、レンズ押さえ機構４０は、シャフト４１、アーム４２、レンズ押さえピン４４、レバー４５、円筒部材４６、等を備える。
【００４４】
シャフト４１は、その下端が円筒部材４６に固定され、その上端が張出部５ａに設けられた図示なき溝に嵌め込まれる。シャフト４１には、アーム４２が上下方向へ移動可能に取り付けられる。アーム４２は、可視光を透過する透明な部材により形成されてもよい。アーム４２の先端には、後述するカップ装着部５５に取り付けられたカップＣｕを通過させるための空間４３が形成される。アーム４２は、図示なきバネにより下方向に付勢され、第１レンズ支持部１５ａにおける支持ピン２１の上端と、レンズ押さえピン４４の下端と、が同一（略同一）の高さとなるように配置される。レンズ押さえピン４４は、空間４３を囲むように設けられ、下方向に突出する。本実施例において、レンズ押さえピン４４は３本で構成される。レバー４５は、アーム４２に固定され、アーム４２を移動させるために用いる。なお、本実施例において、アーム４２とレバー４５とは一体的に形成されてもよい。
【００４５】
操作者は、レバー４５を上方向に移動させて支持ピン２１とレンズ押さえピン４４との間を空けることで、支持ピン２１とレンズ押さえピン４４との間にレンズＬＥを挿入することができる。操作者がレバー４５から手を離すと、アーム４２が図示なきバネの付勢力により下方向に移動し、支持ピン２１とレンズ押さえピン４４にレンズＬＥが挟まれ、レンズＬＥが支持される。
【００４６】
＜レンズ測定機構＞
図４はレンズ測定機構３０を示す図である。レンズ測定機構３０は、照明光学系３１０、撮像光学系３２０、等を備える。
【００４７】
照明光学系３１０は、レンズＬＥの前面側から照明光を投光する。照明光学系３１０は、光源３１１、ハーフミラー３１２、凹面ミラー３１３、再帰性反射部材３１４、等を備える。光源３１１は、レンズＬＥに測定光束を照射する。光源３１１は、例えば、ＬＥＤ（Light Emitting Diode）であってもよい。光源３１１から出射した測定光束は、ハーフミラー３１２に反射されて、光軸Ｌ１に一致する。凹面ミラー３１３は、測定光束を光軸Ｌ１から光軸Ｌ２の方向へ反射させるとともに、測定光束を光軸Ｌ２上に配置されたレンズＬＥよりも大きな径の平行光束（略平行光束）に整形する。再帰性反射部材３１４は、測定光束を入射方向と略同一方向に反射する。再帰性反射部材３１４は、反射ムラを均一にするために、図示なきモータ等によって、光軸Ｌ２を中心とした軸回りに高速で回転されてもよい。
【００４８】
再帰性反射部材３１４は、微細なガラス小球と、このガラス小球の下に配置された反射膜と、をもつ。再帰性反射部材３１４に入射した入射光束は、ガラス小球に屈折されて、ガラス小球の球面付近の１点で焦点を結び、反射膜に反射されて、反射光束となる。反射光束は、ガラス小球に再度屈折され、入射光束と略平行となって、元の方向に反射される。これによって、レンズ支持部１５に支持されたレンズＬＥが後面側から照明される。
【００４９】
撮像光学系３２０は、レンズＬＥを前面側から撮像する。撮像光学系３２０は、凹面ミラー３１３、絞り３２１、撮像レンズ３２２、撮像素子３２３、等を備える。撮像光学系３２０の凹面ミラー３１３は、照明光学系３１０の凹面ミラー３１３と共用される。また、撮像光学系３２０の撮像倍率は、撮像素子３２３によってレンズＬＥの全体が撮像される倍率となっている。絞り３２１は、凹面ミラー３１３の焦点位置（略焦点位置）に配置される。絞り３２１は、光源３１１と共役（略共役）な位置関係である。撮像素子３２３は、光源３１１から出射され、再帰性反射部材３１４に反射された反射光束を撮像する。撮像素子３２３は、例えば、ＣＣＤ（Charge Coupled Device）、ＣＭＯＳ（Complementary Metal Oxide Semiconductor）、等であってもよい。撮像素子３２３の焦点位置は、レンズＬＥの表面付近に合わされている。これによって、レンズＬＥの表面に付された印点、レンズに形成された隠しマーク、等をほぼ焦点の合った状態で撮像することができる。
【００５０】
＜カップ取付機構＞
図５はカップ取付機構５０を示す図である。カップ取付機構５０は、レンズＬＥにカップを取り付ける。本実施例では、第１レンズ支持部１５ａあるいは第２レンズ支持部１５ｂに支持されたレンズＬＥの前面にカップを取り付ける。カップ取付機構５０は、移動支基５１、支持アーム５２、移動アーム５３、シャフト５４、カップ装着部５５、等を備える。
【００５１】
張出部５ａの内部に設けられたブロック５７には、支柱５６が固定される。支柱５６には、移動支基５１が上下方向に移動可能に取り付けられる。移動支基５１には、移動支基５１を常時上方向に付勢するための図示なきバネが配置される。移動アーム５３は、移動支基５１に取り付けられる。なお、本実施例において、移動アーム５３と移動支基５１とは一体的に形成されてもよい。移動アーム５３には、シャフト５４が固定される。シャフト５４には、カップ装着部５５が下方向から前方向を向くように付勢力を与える図示なきコイルバネが設けられる。シャフト５４の軸Ｎ１は、光軸Ｌ１に対して左右の直交方向に延びる。移動アーム５３は、シャフト５４（すなわち、軸Ｎ１）を中心として、カップ装着部５５が前側（操作者側）を向く方向と、下側に向く方向と、に回転可能なように、支持アーム５２を保持する。支持アーム５２には、支持アーム５２を回転させるためのレバー５８が固定される。支持アーム５２には、カップ装着部５５が設けられる。カップ装着部５５にはカップＣｕが装着される。
【００５２】
＜レンズの基準面＞
ここで、レンズＬＥの基準面について説明する。レンズＬＥの基準面は、レンズＬＥにカップＣｕを取り付ける際の基準となる面である。レンズＬＥの基準面は、レンズＬＥの前面及び後面の形状（例えば、カーブ値）に応じて、前面または後面のいずれかに設けてもよい。例えば、本実施例では、レンズ支持部１５ａを用いることで、レンズＬＥの前面を基準面として、カップＣｕを取り付けることができる。また、例えば、本実施例では、レンズ支持部１５ｂを用いることで、レンズＬＥの後面を基準として、カップＣｕを取り付けることができる。
【００５３】
まず、レンズの前面の曲率と後面の曲率との差が大きなレンズ（以下、ハイカーブレンズＬＥｈ）へのカップＣｕの取り付けを例に挙げて、レンズＬＥの前面を基準面とする場合を説明する。例えば、ハイカーブフレーム（反り角の大きなフレーム）には、ハイカーブレンズＬＥｈを枠入れすることがある。通常、レンズの前面の曲率と後面の曲率との差が小さなレンズ（以下、レンズＬＥｌ）に対しては、眼鏡装用者の瞳孔位置（アイポイント位置）と、レンズＬＥｌの中心位置（例えば、光学中心位置ＯＣ）と、玉型の幾何学中心と、を一致させ、レンズＬＥｌのレンズ径内に玉型がおさまるように、レンズＬＥｌに対する玉型の位置が設定される。このとき、カップＣｕは、レンズＬＥｌの中心位置に対して取り付けられる。しかし、ハイカーブフレームの形状に沿った玉型であると、上述のように玉型の位置を設定したときに、ハイカーブレンズＬＥｈのレンズ径内に玉型がおさまらないことがある。このような場合は、ハイカーブレンズＬＥｈの中心位置を予め偏心させることで玉型の位置を設定し、玉型をレンズ径内におさめることがある。このとき、カップＣｕは、ハイカーブレンズＬＥｈの中心位置を偏心させた偏心位置Ｑ（図６参照）に対して取り付けられる。
【００５４】
図６はハイカーブレンズＬＥｈを各レンズ支持部に載置した状態を示す図である。図６（ａ）と図６（ｂ）は、ハイカーブレンズＬＥｈをレンズ支持部１５ａに載置した状態である。なお、図６（ａ）は支持ピン２１をカップＣｕの取付面ＡＰに対して回転させていない場合であり、図６（ｂ）は支持ピン２１をカップＣｕの取付面ＡＰに対して回転させた場合である。図６（ｃ）はハイカーブレンズＬＥｈをレンズ支持部１５ｂに載置した状態である。ハイカーブレンズＬＥｈの中心位置を偏心させた状態では、カップ取り付けの基準軸となる光軸Ｌ２と、偏心位置Ｑと、が一致するようにハイカーブレンズＬＥｈを支持し、カップＣｕを取り付ける。ハイカーブレンズＬＥｈの前面とカップＣｕの取付面ＡＰがともに平行となるようにハイカーブレンズＬＥｈを支持することで、カップＣｕを正確に取り付けることができる。
【００５５】
例えば、図６（ａ）のようにレンズ支持部１５ａの支持ピン２１を回転（傾斜）させない場合は、ハイカーブレンズＬＥｈの前面（言い換えると、偏心位置Ｑに対する垂線）ＦＰをカップの取付面ＡＰと平行にすると、ハイカーブレンズＬＥｈの後面と支持ピン２１が当接しないことがある。この状態では、ハイカーブレンズＬＥｈが安定に支持されない。ハイカーブレンズＬＥｈの後面と支持ピン２１を当接させると、光軸Ｌ２と偏心位置Ｑとが一致していても、ハイカーブレンズＬＥｈの前面ＦＰがカップの取付面ＡＰと平行にならず、カップＣｕを正確に取り付けることができない。
【００５６】
しかし、例えば、図６（ｂ）のようにレンズ支持部１５ａの支持ピン２１を回転（傾斜）させる場合は、ハイカーブレンズＬＥｈの前面ＦＰをカップの取付面ＡＰと平行にするとともに、ハイカーブレンズＬＥｈの後面と支持ピン２１を当接させることが可能である。例えば、本実施例においては、ハイカーブレンズＬＥｈを支持ピン２１へ載置した後に三角板２２を動かし、支持ピン２１に載置したハイカーブレンズＬＥｈを任意の方向へ傾けることで、レンズ支持部１５ａの接地面から各支持ピン２１までの高さを変化させて、ハイカーブレンズＬＥｈの後面と支持ピン２１を当接させることができる。これによって、ハイカーブレンズＬＥｈの前面ＦＰをカップの取付面ＡＰに対して平行に維持し、光軸Ｌ２に偏心位置Ｑを一致させるとともに、ハイカーブレンズＬＥｈを安定に支持することができる。例えば、このような状態においては、ハイカーブレンズＬＥｈの前面ＦＰが、カップＣｕを取り付ける際の基準となる基準面とされる。
【００５７】
なお、本実施例においては、さらに、レンズ押さえ機構４０を用いて、ハイカーブレンズＬＥｈをより安定に支持してもよい。レンズ押さえ機構４０におけるアーム４２は下方向に付勢されるため、ハイカーブレンズＬＥｈの前面にレンズ押さえピン４４が当接する。つまり、ハイカーブレンズＬＥｈは、支持ピン２１及びレンズ押さえピン４４により挟持された状態となる。支持ピン２１に載置されたハイカーブレンズＬＥｈの前面とレンズ押さえピン４４との当接面を平行に保つとともに、ハイカーブレンズＬＥｈの前面とカップＣｕの取付面ＡＰとを平行に保つことで、ハイカーブレンズＬＥｈの前面ＦＰを基準面としてもよい。
【００５８】
例えば、図６（ｃ）のようにレンズ支持部１５ｂの支持ピン２６を用いた場合には、図６（ａ）のようにレンズ支持部１５ａの支持ピン２１を回転（傾斜）させない場合と同様になる。支持ピン２６の高さが固定されているので、ハイカーブレンズＬＥｈの前面ＦＰをカップの取付面ＡＰと平行にすると、ハイカーブレンズＬＥｈの後面と支持ピン２６が当接しないことがある。また、ハイカーブレンズＬＥｈの後面と支持ピン２６を当接させると、ハイカーブレンズＬＥｈの前面ＦＰがカップの取付面ＡＰと平行にならず、カップＣｕを正確に取り付けることができない。
【００５９】
例えば、このように、ハイカーブレンズＬＥｈにカップＣｕを取り付けたい場合は、レンズ支持部１５ａを用いて、ハイカーブレンズＬＥｈの前面ＦＰに基準面を設けることが好ましい。なお、ハイカーブレンズＬＥｈに限らず、レンズの中心位置を偏心させる場合等には同様の問題が生じるので、レンズ支持部１５ａを用いてレンズの前面を基準面とすることが好ましい。
【００６０】
次に、レンズＬＥｌへのカップＣｕの取り付けを例に挙げて、レンズＬＥの後面を基準面とする場合を説明する。図７はレンズＬＥｌを各レンズ支持部に載置した状態を示す図である。図７（ａ）はレンズＬＥｌをレンズ支持部１５ａに載置した状態である。図７（ｂ）はレンズＬＥｌをレンズ支持部１５ｂに載置した状態である。例えば、レンズＬＥｌに対しては、レンズＬＥｌの中心位置を偏心させなくても、玉型がレンズ径内におさまることが多い。このため、カップ取り付けの基準軸となる光軸Ｌ２と、レンズＬＥｌの中心位置（光学中心位置ＯＣ）と、が一致するようにレンズＬＥｌを支持し、カップＣｕを取り付けてもよい。
【００６１】
例えば、図７（ｂ）のようにレンズＬＥｌをレンズ支持部１５ｂに載置した場合は、支持ピン２６の中心点Ｐ２と、レンズＬＥｌの中心位置（本実施例では、光学中心位置ＯＣ）と、を一致させるようにレンズＬＥｌを支持ピン２６へ載置することで、光軸Ｌ２とレンズＬＥｌの中心位置とを一致させ、レンズＬＥｌを安定に支持することができる。このとき、支持ピン２６と、支持ピン２６に載置されたレンズＬＥｌの後面と、の当接面は平行に保たれ、カップの取付面ＡＰと、レンズＬＥｌの後面（言い換えると、レンズＬＥｌの後面に対する垂線）ＢＰと、が平行になる。例えば、このような状態においては、レンズＬＥｌの後面ＢＰが、カップＣｕを取り付ける際の基準となる基準面とされる。なお、レンズＬＥｌの前面と後面における曲率の差は小さいため、カップの取付面ＡＰとレンズＬＥｌの後面ＢＰが平行になるとともに、カップの取付面ＡＰとレンズＬＥｌの前面ＦＰも平行になる。このため、レンズＬＥｌにカップＣｕを正確に取り付けることができる。レンズＬＥｌを支持ピン２６に載置するだけでよく、操作は容易である。
【００６２】
例えば、図７（ａ）のようにレンズＬＥｌをレンズ支持部１５ａに載置した場合は、支持ピン２１を回転（傾斜）させず、支持ピン２１の中心点Ｐ１と、レンズＬＥｌの中心位置と、を一致させるようにレンズＬＥｌを支持ピン２１へ載置することで、光軸Ｌ２とレンズＬＥｌの中心位置とを一致させ、レンズＬＥｌを安定に支持することができる。
【００６３】
なお、支持ピン２１は回転自在であるため、レンズ押さえ機構４０を用いることで、レンズＬＥｌをより安定に支持してもよい。すなわち、支持ピン２１とレンズ押さえピン４４とでレンズＬＥｌを挟持してもよい。これによっても、レンズＬＥｌの前面ＦＰ及び後面ＢＰをカップの取付面ＡＰと平行に保ち、レンズＬＥにカップＣｕを正確に取り付けることができる。
【００６４】
例えば、レンズＬＥｌにカップＣｕを取り付けたい場合は、操作が容易であるため、レンズ支持部１５ｂを用いて、レンズＬＥｌの後面ＢＰに基準面を設けてもよい。なお、ハイカーブレンズＬＥｈであっても、支持ピン２６で安定に支持されるのであれば、レンズ支持部１５ｂを用いて、レンズの後面を基準面としてもよい。
【００６５】
＜制御系＞
図８はカップ取付装置１の制御系を示す図である。例えば、制御部６０は、一般的なＣＰＵ（プロセッサ）、ＲＡＭ、ＲＯＭ、等で実現される。ＣＰＵは、カップ取付装置１における各部の駆動を制御してもよい。ＲＡＭは、各種の情報を一時的に記憶してもよい。ＲＯＭには、ＣＰＵが実行する各種プログラムが記憶されてもよい。例えば、制御部６０には、ディスプレイ３、光源３１１、撮像素子３２３、不揮発性メモリ（以下、メモリ６５）、再帰性反射部材３１４を回転させるための図示なきモータ、等が電気的に接続される。
【００６６】
メモリ６５は、電源の供給が遮断されても記憶内容を保持できる非一過性の記憶媒体であってもよい。例えば、メモリ６５としては、ハードディスクドライブ、フラッシュＲＯＭ、ＵＳＢメモリ、ＳＤカード、等を使用することができる。メモリ６５は、レンズ測定機構３０により測定されたレンズの外形、等を記憶してもよい。
【００６７】
＜動作＞
上記のような構成を備えるカップ取付装置１の動作を説明する。
【００６８】
＜玉型の取得＞
まず、レンズＬＥの玉型が取得される。例えば、本実施例では、レンズ測定機構３０及びテーブル８を用いて、フレームに枠入れされていたデモレンズまたは型板から玉型が取得される。例えば、本実施例においては、テーブル８が第３レンズ支持部としてレンズＬＥを支持してもよい。テーブル８は、第１レンズ支持部１５ａ及び第２レンズ支持部１５ｂを取り外した状態にて使用されてもよい。これにより、支持ピン２１あるいは支持ピン２６の像が写り込むことなく、テーブル８が支持したレンズＬＥを撮像することが可能である。
【００６９】
操作者は、テーブル８を挿込口９に挿し込み、テーブル８にデモレンズまたは型板を載置する。また、操作者は、玉型の取得を開始するための図示なきボタンを操作する。制御部６０は、入力された操作信号に応じて、光源３１１を点灯させて光束を照射するとともに、再帰性反射部材３１４を回転させる。再帰性反射部材３１４に反射され、デモレンズまたは型板を後面側から照明する光束が、撮像素子３２３に撮像される。これにより、デモレンズの全体を撮像したデモレンズ像、または、型板の全体を撮像した型板像、が取得される。制御部６０は、デモレンズ像または型板像を画像処理（例えば、エッジ検出、等）することで、デモレンズまたは型板の外形を検出し、これを玉型としてメモリ６５に記憶させる。玉型を取得した後、操作者はテーブル８を挿込口９から取り外す。
【００７０】
なお、レンズＬＥの玉型は、デモレンズまたは型板の外形、フレームのリムの内形、等から取得されてもよい。本実施例では、カップ取付装置１を用いて玉型を取得したが、カップ取付装置１に別の装置を用いて測定した玉型を読み込ませることで玉型を取得してもよい。
【００７１】
＜加工条件とレイアウトの設定＞
続いて、レンズＬＥの加工条件とレイアウトが設定される。レンズＬＥの加工条件は、レンズＬＥの種類（例えば、単焦点レンズ、二重焦点レンズ、累進レンズ、等）、レンズＬＥの材質、フレームの材質、加工モード（例えば、鏡面加工、面取り加工、溝掘り加工、等の有無）、レンズＬＥに対するカップＣｕの取り付け位置（例えば、レンズＬＥの光学中心位置、玉型の幾何学中心位置、等）、等の少なくともいずれかであってもよい。レンズＬＥのレイアウトは、眼鏡装用者の瞳孔間距離、フレーム中心間距離、等の少なくともいずれかであってもよい。操作者は、ディスプレイ３に表示される設定画面を操作することで、これらの条件とレイアウトを設定する。
【００７２】
＜レンズ支持部の設置＞
ここで、操作者は、レンズ支持機構１０におけるレンズ支持部１５を台座５ｂに載置する。本実施例では、レンズ支持部１５ａまたはレンズ支持部１５ｂのいずれかが台座５ｂに配置される。レンズ支持部１５ａまたはレンズ支持部１５ｂのいずれかは、レンズＬＥの前面及び後面の形状に合わせて選択されてもよい。
【００７３】
例えば、本実施例では、ハイカーブレンズＬＥｈに対してカップＣｕを取り付けるためにレンズ支持部１５ａを選択した場合と、レンズＬＥｌに対してカップＣｕを取り付けるためにレンズ支持部１５ｂを選択した場合と、について順に説明する。
【００７４】
＜レンズ支持部１５ａを設置する場合＞
図１０はカップ取付装置１からレンズ押さえ機構４０が取り外された状態を示す図である。操作者は、レンズ支持機構１０におけるレンズ支持部１５ａを台座５ｂに載置する。本実施例では、レンズ支持部１５ａが備える穴１７に、保護カバー１２から突出して固定された挿込ピン１１が挿さるように、レンズ支持部１５ａが台座５ｂに載置される。また、操作者は、レンズ押さえ機構４０を台座５ｂに取り付ける（すなわち、図１０に示す状態から図３に示す状態になる）。本実施例では、レンズ押さえ機構４０の円筒部材４６が、台座５ｂの凹部７に嵌め込まれることで、レンズ押さえ機構４０が台座５ｂに取り付けられる。また、操作者は、レンズ押さえ機構４０のアーム４２を使用位置に配置する（すなわち、図３（ａ）に示す状態から図３（ｂ）に示す状態になる）。アーム４２が使用位置に配置されることによって、支持ピン２１の上部にレンズ押さえピン４４が配置される。操作者は、レバー４５を操作して、支持ピン２１とレンズ押さえピン４４の間にハイカーブレンズＬＥｈを挟持させる。これによって、支持ピン２１に載置されたハイカーブレンズＬＥｈの前面と、レンズ押さえピン４４と、の当接面が平行に保たれるとともに、ハイカーブレンズＬＥｈの前面とカップＣｕの取付面ＡＰとが平行に保たれ、ハイカーブレンズＬＥｈの前面がカップ取り付けの基準面とされる。
【００７５】
＜レンズ支持部１５ｂを設置する場合＞
操作者は、レンズ支持機構１０におけるレンズ支持部１５ｂを台座５ｂに載置する。本実施例では、レンズ支持部１５ｂが備える穴１７に、保護カバー１２から突出して固定された挿込ピン１１が挿さるように、レンズ支持部１５ｂが台座５ｂに載置される。なお、レンズ支持部１５ｂを用いる際には、必ずしもレンズ押さえ機構４０を台座５ｂに取り付けなくてもよい。このため、レンズ押さえ機構４０は、図１０に示すように台座５ｂの凹部７から取り外されてもよい。なお、レンズ押さえ機構４０が予め取り付けられていた場合には、レンズ押さえ機構４０のアーム４２を退避位置に配置して、レンズＬＥｌを支持ピン２６の上に載置してもよい。これによって、支持ピン２６と、支持ピン２６に載置されたレンズＬＥｌの後面と、の当接面が平行に保たれるとともに、レンズＬＥｌの後面とカップＣｕの取付面ＡＰとが平行に保たれ、レンズＬＥｌの後面がカップ取り付けの基準面とされる。
【００７６】
＜レンズのアライメント＞
操作者は、支持ピン２１または支持ピン２６にレンズＬＥを載置すると、カップ取り付けの基準軸である光軸Ｌ２と、レンズＬＥの中心位置（あるいは、偏心位置Ｑ）と、を一致させるようにアライメントを行う。
【００７７】
例えば、操作者は、アライメントを行うための図示なきボタンを操作する。制御部６０は、入力された操作信号に応じて、光源３１１を点灯させて光束を照射するとともに、再帰性反射部材３１４を回転させる。再帰性反射部材３１４に反射され、レンズＬＥを後面側から照明する光束が、撮像素子３２３に撮像される。これにより、レンズＬＥの全体を撮像したレンズ像が取得される。ディスプレイ３には、レンズＬＥにカップＣｕを取り付けるための軸打ち画面７０が表示される。
【００７８】
図９は軸打ち画面７０の一例である。ここでは、支持ピン２１にハイカーブレンズＬＥｈを載置した状態での軸打ち画面を例に挙げる。軸打ち画面７０には、アーム４２の像であるアーム像４２ｓ、支持ピン２１の像である支持ピン像２１ｓ、ハイカーブレンズＬＥｈのレンズ像ＬＥｈｓ、アライメントの目標位置を表すマークＭ、等が表示される。レンズ像ＬＥｈｓには、予め中心位置（あるいは、偏心位置）に付された印点の像である印点像Ｒｓが現れる。操作者は、軸打ち画面７０を確認しながら、印点像ＲｓとマークＭとが一致するように、支持ピン２１上のハイカーブレンズＬＥｈを移動させる。これによって、カップ取り付けの基準軸である光軸Ｌ２と、ハイカーブレンズＬＥｈの中心位置（あるいは、偏心位置Ｑ）と、が一致し、アライメントが完了する。
【００７９】
なお、支持ピン２６にレンズＬＥｌを載置した状態での軸打ち画面には、アーム像４２ｓが表示されない。操作者は、ハイカーブレンズＬＥｈのアライメントと同様に、軸打ち画面７０を確認しながら、印点像ＲｓとマークＭとが一致するように、支持ピン２６上のレンズＬＥｌを移動させ、アライメントを完了させる。
【００８０】
＜カップの取り付け＞
操作者は、アライメントが完了すると、レンズＬＥにカップＣｕを取り付ける。操作者は、カップ取付機構５０のカップ装着部５５にカップＣｕを装着する。また、操作者は、レバー５８を操作して支持アーム５２を回転させるとともに、支持アーム５２を下方向に移動させる。これによって、レンズＬＥの前面にカップＣｕが取り付けられる。
【００８１】
以上説明したように、例えば、本実施例におけるカップ取付装置は、眼鏡レンズの前面とカップの取付面とを平行に保つことで、カップを取り付ける基準面を眼鏡レンズの前面とし、眼鏡レンズを支持する第１レンズ支持手段と、眼鏡レンズの後面とカップの取付面とを平行に保つことで、カップを取り付ける基準面を眼鏡レンズの後面とし、眼鏡レンズを支持する第２レンズ支持手段と、カップ取付装置において、第１レンズ支持手段と第２レンズ支持手段とを切り換える切換手段と、眼鏡レンズにカップを取り付けるカップ取付手段と、を備える。従来は、眼鏡レンズの前面を基準面とするか、または後面を基準面とするか、を選択することができず、眼鏡レンズの種類によっては、精度よくカップを取り付けることが難しい場合があった。しかし、カップ取付装置が本実施例のような構成を備えることで、眼鏡レンズの種類毎に基準面を容易に変更し、適切にカップを取り付けることができる。
【００８２】
また、例えば、本実施例におけるカップ取付装置において、切換手段は、第１レンズ支持手段及び第２レンズ支持手段をカップ取付装置に装着可能とする第１着脱手段を有し、第１着脱手段を用いて第１レンズ支持手段または第２レンズ支持手段のいずれか一方を取り付けることによって、第１レンズ支持手段と第２レンズ支持手段とを切り換える。これによって、眼鏡レンズの種類に応じて適切なレンズ支持手段を取り付け、基準面を容易に変更することができるので、精度よくカップを取り付けることができる。
【００８３】
また、例えば、本実施例におけるカップ取付装置において、第１レンズ支持手段は、カップの取付面に対して回転自在な第１支持ピンを有し、第１支持ピンに載置された眼鏡レンズの前面と、カップの取付面とを平行に保つことで、眼鏡レンズの前面を基準面とする。第１支持ピンが回転自在であることによって、眼鏡レンズの前面と後面の曲率の差が大きな眼鏡レンズ（例えば、ハイカーブレンズ、等）に対しても、その前面に基準面を設けることができるようになる。
【００８４】
また、例えば、本実施例におけるカップ取付装置において、第１レンズ支持手段は、さらに、眼鏡レンズの前面を押さえるレンズ押さえ手段を有し、第１支持ピンに載置されるとともにレンズ押さえ手段に押さえられた眼鏡レンズの前面と、レンズ押さえ手段と、の当接面を平行に保つことで、眼鏡レンズの前面と、カップの取付面とを平行に保ち、眼鏡レンズの前面を基準面とする。レンズ押さえ手段を備えることによって、眼鏡レンズの前面と後面の曲率の差が大きな眼鏡レンズ（例えば、ハイカーブレンズ、等）を挟持し、より安定に支持することができる。
【００８５】
また、例えば、本実施例におけるカップ取付装置において、第１レンズ支持手段が備えるレンズ押さえ手段は着脱可能であって、切換手段は、レンズ押さえ手段を着脱する第２着脱手段を有し、第２着脱手段を用いてレンズ押さえ手段を取り付けることによって、第１レンズ支持手段と第２レンズ支持手段とを切り換える。これによって、眼鏡レンズの種類に合わせてレンズ押さえ手段を着脱し、必要に応じて眼鏡レンズを挟持させ、眼鏡レンズを安定に支持することができる。
【００８６】
また、例えば、本実施例におけるカップ取付装置において、第１レンズ支持手段が備えるレンズ押さえ手段は、眼鏡レンズを押さえる使用位置と、使用位置から退避させた退避位置と、に切り換え可能であって、第１レンズ支持手段を用いる際には、レンズ押さえ手段を使用位置に切り換えて使用し、第２レンズ支持手段を用いる際には、レンズ押さえ手段を退避位置に切り換えて使用する。例えば、本実施例においては、眼鏡レンズの前面を基準面とする場合にはレンズ押さえ手段を用いてもよく、眼鏡レンズの後面を基準面とする場合にはレンズ押さえ手段を用いなくてもよい。眼鏡レンズの種類に応じて第１レンズ支持手段または第２レンズ支持手段のいずれかに変更した際には、レンズ押さえ手段の使用と不使用を容易に切り換えることができ、操作性が向上される。
【００８７】
また、例えば、本実施例におけるカップ取付装置は、眼鏡レンズを載置する固定配置された第２支持ピンを有し、第２支持ピンと、第２支持ピンに載置された眼鏡レンズの後面と、の当接面を平行に保つことで、眼鏡レンズの後面とカップの取付面とを平行に保ち、眼鏡レンズの後面を基準面とする。支持ピンが固定配置されていることで、レンズ押さえ手段等を用いることなく眼鏡レンズの後面に基準面を設けることができ、操作が容易である。
【００８８】
また、例えば、本実施例におけるカップ取付装置は、眼鏡レンズにカップを取り付けるカップ取付手段を備え、第１レンズ支持手段に支持された状態の眼鏡レンズ、または、第２レンズ支持手段に支持された状態の眼鏡レンズ、にカップを取り付ける。本実施例では、第１レンズ支持手段または第２レンズ支持手段によって、眼鏡レンズの基準面が平行に維持される。このため、カップ取付手段を用いて、レンズ支持手段に支持されたレンズに対してカップを精度よく取り付けることができる。
【００８９】
＜変容例＞
なお、本実施例では、レンズ測定機構３０によって、光源３１１がレンズＬＥの前面を照明し、再帰性反射部材３１４に反射された光束が撮像素子３２３で撮像される構成を例に挙げて説明したがこれに限定されない。例えば、レンズ測定機構３０は、光源によってレンズＬＥの後面を照明し、光束をスクリーンに投影する構成であってもよい。この場合、ディスプレイ３は必ずしも必要ではない。例えば、スクリーンに予めアライメントの目標位置を表すマークＭを印しておき、スクリーンに投影されたレンズ像に現れる印点像Ｒｓと、スクリーン上のマークＭと、を一致させるようにアライメントを行ってもよい。例えば、このようなディスプレイ３を備えていないカップ取付装置に対しても、第１レンズ支持手段１５ａと第２レンズ支持手段１５ｂとを切り換えて使用する構成としてもよい。
【００９０】
なお、本実施例では、レンズ支持部１５のプレート１６に穴１７が設けられ、プレート１６が挿込ピン１１に刺さるように、レンズ支持部１５を保護カバー１２上に配置する構成を例に挙げて説明したがこれに限定されない。例えば、本実施例において、プレート１６及び保護カバー１２は正円形状であり、正円の中央に支持ピン２１の中心点Ｐ１または支持ピン２６の中心点Ｐ２が一致するように設計されている。このため、穴１７や挿込ピン１１を用いなくても、レンズ支持部１５を保護カバー１２上に載置すれば、各ピンの中心点と光軸Ｌ２とを一致させることができる。しかし、本実施例において、プレート１６の中央からずれた位置に各ピンの中心点を配置するように設計されてもよい。この場合、レンズ支持部１５を保護カバー１２上に載置する向きによっては、各ピンの中心点と光軸Ｌ２とが一致しなくなる。このような構成とする際には、穴１７や挿込ピン１１等をより効果的に用いることができる。
【００９１】
なお、本実施例では、レンズ支持機構１０がレンズ支持部１５ａ及びレンズ支持部１５ｂを有し、これらを付け換えることによって、レンズＬＥの基準面を変更する構成を例に挙げて説明したがこれに限定されない。例えば、レンズ支持機構１０が、レンズ支持部１５ａ及びレンズ支持部１５ｂを有し、これらを移動させることによって、レンズＬＥの基準面を変更する構成としてもよい。この場合には、レンズ支持部１５ａ及びレンズ支持部１５ｂ移動させる駆動部を備えていてもよい。例えば、駆動部は、レンズ支持部１５ａとレンズ支持部１５ｂをスライド移動させるためのスライド機構、等であってもよい。駆動部はモータ等を備え、レンズ支持部１５ａとレンズ支持部１５ｂを自動的に切り換える構成としてもよい。この場合には、例えば、制御部６０が駆動部の駆動を制御することによって、第１レンズ支持手段と第２レンズ支持手段とが自動的に切り換えられてもよい。また、駆動部はレバー等を備え、レンズ支持部１５ａとレンズ支持部１５ｂを手動的に切り換える構成としてもよい。この場合には、例えば、操作者がレバーを操作することで、第１レンズ支持手段と第２レンズ支持手段とを手動的に切り換えてもよい。
【００９２】
例えば、本実施例におけるカップ取付装置においては、このように、切換手段が、第１レンズ支持手段と第２レンズ支持手段とを移動させる駆動部を有し、駆動部を駆動させることによって、第１レンズ支持手段と第２レンズ支持手段とを切り換えてもよい。これによって、眼鏡レンズの種類に応じて適切なレンズ支持手段に切り換え、基準面を容易に変更することができるので、精度よくカップを取り付けることができる。
【００９３】
なお、本実施例では、レンズ支持機構１０がレンズ支持部１５ａとレンズ支持部１５ｂを有し、これらを付け換えることによって、レンズＬＥの基準面を変更する構成を例に挙げて説明したがこれに限定されない。レンズ支持機構１０は、レンズ支持部１５ａとレンズ支持部１５ｂとを兼用する構成としてもよい。例えば、この場合には、レンズ支持機構１０にロック機構が設けられてもよい。ロック機構は、レンズ支持部１５ａ（またはレンズ支持部１５ｂ）におけるカップＣｕの取付面に対する回転（傾斜）を抑制してもよい。一例として、レンズ支持部１５ａの回転をロック機構によりロックし、支持ピン２１の高さが一律となるように固定することで、レンズＬＥの後面を基準面としてもよい。また、ロック機構を解除することで、支持ピン２１を回転自在とし、レンズＬＥの前面を基準面としてもよい。例えば、本実施例においては、このように、レンズ支持機構１０にロック機構を設け、ロック機構の使用と不使用を切り換えることによって、レンズＬＥの基準面を切り換えることが可能な構成としてもよい。
【００９４】
なお、本実施例では、レンズ支持部１５ａが回転自在な支持ピン２１を備える構成を例に挙げて説明したがこれに限定されない。レンズ支持部１５ａは、レンズＬＥの前面を基準面とするための構成を有していればよい。例えば、レンズ支持部１５ａの支持ピン２１は、各ピンの高さをそれぞれ調節することが可能な第１支持ピンを有することで、眼鏡レンズの前面とカップの取付面とを平行に保ち、レンズＬＥの前面を基準面としてもよい。ちろん、支持ピン２１を用いることなく、眼鏡レンズの前面とカップの取付面とを平行に保つようにしてもよい。一例としては、円筒状のレンズ支持部を有し、眼鏡レンズの前面をレンズ支持部に載置することで、眼鏡レンズの前面とカップの取付面とを平行に保ち、眼鏡レンズの前面を基準面としてもよい。
【００９５】
また、本実施例では、レンズ支持部１５ｂが固定配置された支持ピン２６を備える構成を例に挙げて説明したがこれに限定されない。レンズ支持部１５ｂは、レンズＬＥの後面を基準面とするための構成を有していればよい。例えば、レンズ支持部１５ｂの支持ピンは高さが同一な可動ピンであってもよく、中心点Ｐ２から各ピン間までの距離、及び、各ピン同士の間隔、等を調整して、レンズＬＥを支持する領域の大きさを変更するような構成を有していてもよい。
【００９６】
なお、本実施例では、レンズ測定機構３０が、レンズＬＥの外形、印点、隠しマーク、プリントマーク、等のレンズ情報を取得するための光学系を備える構成を例に挙げて説明したがこれに限定されない。例えば、レンズ測定機構３０は、レンズＬＥの光学特性（例えば、球面度数、円柱度数、乱視軸角度、プリズム量、等）をレンズ情報として取得するための光学系を備えていてもよい。一例として、このような光学系は、多数の開口（光束の通過口）を所定のパターンにて形成した指標板、等を有し、レンズＬＥを介して撮像されたパターン像の変化量に基づいて、レンズＬＥの光学特性を演算するようにしてもよい。例えば、レンズＬＥのレンズＬＥの外形、印点、隠しマーク、プリントマーク、等を取得するための光学系と、レンズＬＥの光学特性を取得するための光学系と、はその少なくとも一部を兼用する構成としてもよいし、別に設ける構成としてもよい。
【符号の説明】
【００９７】
１  カップ取付装置
１０  レンズ支持機構
３０  レンズ測定機構
４０  レンズ押さえ機構
５０  カップ取付機構
６０  制御部
６５  メモリ
【図１】
2020038268.tif 000003
【図２】
2020038268.tif 000004
【図３】
2020038268.tif 000005
【図４】
2020038268.tif 000006
【図５】
2020038268.tif 000007
【図６】
2020038268.tif 000008
【図７】
2020038268.tif 000009
【図８】
2020038268.tif 000010
【図９】
2020038268.tif 000011
【図１０】
2020038268.tif 000012